(57)【要約】【課題】低消費電力で高輝度の表示が可能で、外光下など明るい環境においても輝度が高くコントラストに優れたプラズマディスプレイを提供する。【解決手段】前面基板１４とバス電極１２と透明電極１１とを含む前面パネル３と、背面基板４とアドレス電極５とを含む背面パネル２と、前面パネル３と背面パネル２との間に形成され放電ガスが封入される対向間隙１６とを備えるプラズマディスプレイパネル１であって、入射する光のうち特定の振動方向の光を透過させ特定の振動方向と直交する方向の光を吸収する偏光吸収層１５と、特定の振動方向の光を透過させ特定の振動方向と直交する方向の光を反射させる偏光反射層１０とを備え、偏光吸収層１５及びバス電極１２よりも背面パネル側に、偏光吸収層１５の透過軸と略平行な透過軸を有する偏光反射層１０が配置される。【選択図】図１
2008117676.tif 000002
【特許請求の範囲】
【請求項１】
前面基板とバス電極と透明電極とを含む前面パネルと、背面基板とアドレス電極とを含む背面パネルと、前記前面パネルと前記背面パネルとの間に形成され放電ガスが封入される対向間隙とを備えるプラズマディスプレイパネルであって、
入射する光のうち特定の振動方向の光を透過させ、前記特定の振動方向と直交する方向の光を吸収する偏光吸収層と、
前記特定の振動方向の光を透過させ、前記特定の振動方向と直交する方向の光を反射させる偏光反射層とを備え、
前記偏光吸収層及び前記バス電極よりも前記背面パネル側に、前記偏光吸収層の透過軸と略平行な透過軸を有する前記偏光反射層が配置される、プラズマディスプレイパネル。
【請求項２】
前記偏光反射層がワイヤグリッドで構成される、請求項１に記載のプラズマディスプレイパネル。
【請求項３】
さらに、電磁波を遮蔽する電磁波シールド層が前記偏光吸収層と前記偏光反射層との間に配置される、請求項１に記載のプラズマディスプレイパネル。
【請求項４】
前記偏光反射層と前記偏光吸収層と前記電磁波シールド層は、それぞれフィルム状部材から構成され、
前記電磁波シールド層として用いられる複屈折性を示す第１のフィルムと、前記偏光反射層として用いられる第２のフィルムと、前記偏光吸収層として用いられる第３のフィルムとの異方軸がそれぞれ略平行になるように、前記偏光反射層と前記偏光吸収層と前記電磁波シールド層が配置される、請求項３に記載のプラズマディスプレイパネル。
【請求項５】
さらに、色彩調整機能及びコントラスト調整機能の少なくとも一方の機能を有する着色層が、前記偏光吸収層と前記偏光反射層との間に配置される、請求項１に記載のプラズマディスプレイパネル。
【請求項６】
さらに、前面基板の背面パネル側の表面のうち、透明電極が形成されていない部分にブラックストライプが形成されている、請求項１に記載のプラズマディスプレイパネル。
【発明の詳細な説明】
【技術分野】
【０００１】
本発明は、ＴＶ受像機、情報端末ディスプレイなどに用いられるプラズマディスプレイパネルに関する。
【背景技術】
【０００２】
近年、ＣＲＴディスプレイに代わるフラットディスプレイへの期待が高まり、奥行きを抑えた薄型の液晶ディスプレイやプラズマディスプレイパネル等が普及しつつある。特に、大画面の薄型ディスプレイにはプラズマディスプレイパネルが用いられることも多い。
【０００３】
プラズマディスプレイパネルは２枚のガラス基板（前面基板と背面基板）の間隙に微小な放電空間を多数設けた表示デバイスである。たとえば、マトリックス表示方式のプラズマディスプレイパネルでは、多数の電極（表示電極とアドレス電極）が格子状に配列され、各電極の交差部の放電セルを選択的に発光させて画像を表示させる。各放電セルの発光原理は、以下の通りである。放電空間に封入された混合ガスの放電により、そのガス成分であるＸｅから紫外線が放射される。放射された紫外線は赤、緑、青の蛍光体を励起して可視光を発生させる。先ず、点灯させたいセルのアドレス電極と表示電極対の一方である表示スキャン電極の間でアドレス放電を行う。この放電によりセル内に壁電荷が蓄積される。次に表示電極対に一定の電圧を印加すると、アドレス放電で壁電荷が蓄積されたセルのみに表示放電が起こり紫外線が発生する。この紫外線がセル内に塗布された赤、緑、青の蛍光体を励起して各々の色の可視光を発生させる。ここで、３色のセル１組を１画素と呼び、各色の発光強度をたとえば２５６段階に制御することで１６７０万色のフルカラー表示ができる。このようにプラズマディスプレイパネルの発光は放電現象を利用しているため応答速度が速く、ＣＲＴと同様に蛍光体を使用するため色再現性も良いことから、テレビ映像などの動画表示に適している。特に、近年プラズマディスプレイパネルは構造上、比較的容易に大画面が実現でき、自発光で視野角依存性が無く、動画表示性能に優れ、さらに暗室でのコントラストが高い。このような映像表示能力の高さからプラズマディスプレイパネルは大画面ＴＶ受像機として需要を拡大している。
【０００４】
しかしながら、プラズマディスプレイパネルは、背面パネルの観察者側表面のほぼ全面が反射率の高い蛍光体で覆われているため、暗い環境下ではコントラストが高いが、明るい環境下では蛍光体層による外光反射が大きく、コントラストが低下してしまうという問題があった。
【０００５】
そこで、明るい環境下でも高いコントラストを維持できるプラズマディスプレイパネルが要望されている。このような要望に対して、プラズマディスプレイパネルの観察者側に設置される光学フィルターパネルの内部に、光吸収層を設ける技術が提案されており、これにより、プラズマディスプレイパネルに到達し反射する光を減衰させることができる。しかし、上記構成を備えたプラズマディスプレイパネルは、光吸収層を設置することにより、外光反射を低減することができるが、蛍光体層からの光、すなわち映像を構成する光（以下、映像光という）も同じように低減する。そのため、映像光の損失が大きく、明るい環境下ではコントラストの低下を十分に抑制できていない。
【０００６】
そこで、光吸収層における映像光の損失を防ぐべく、前面パネルに偏光反射層と偏光吸収層とを備え、偏光吸収層が偏光反射層に対して観察者側に配置されたプラズマディスプレイパネルが提案されている（例えば特許文献１）。図４は特許文献１のプラズマディスプレイパネルの断面図である。
【０００７】
プラズマディスプレイパネル２０は背面パネル２１と前面パネル２２とを備え、背面パネル２１と前面パネル２２との間隙に形成された対向間隙３５に放電ガスが封入される。前面基板３２の観察者側には、順に偏光反射層３３と偏光吸収層３４とがそれぞれの透過軸が一致するように配置される。前面基板３２の背面パネル２１側には透明電極３１とブラックストライプ１７とが形成される。また透明電極３１上にバス電極３０が形成され、透明電極３１とバス電極３０とブラックストライプ１７とを覆うように透明誘電体層２９が形成される。透明誘電体層２９の背面側には保護層２８が配置される。
【０００８】
一方、背面基板２３の前面パネル２２側には、アドレス電極２４と透明誘電体層２５が順に形成される。透明誘電体層２５上にはセルとセルとの境界となる隔壁２６が形成され、隔壁２６の頭頂部を除いた部分に蛍光体が塗布された蛍光体層２７が形成される。ブラックストライプ１７は前面基板３２の背面パネル側表面上で透明電極３１が形成されていない部分、すなわち放電していない部分に形成される。なお、バス電極３０の表面は一般的に黒色である。
【０００９】
このように構成されたプラズマディスプレイパネルにおいて、偏光反射層３３は一定の軸の方向の振動方向の光を透過し、それと直交する振動方向の光を反射する。よって蛍光体層２７から発生した映像光のような無偏光光は、偏光反射層３３に入射すると、理想的に５０％ずつ透過・反射される。偏光吸収層３４は一定の軸の方向の振動方向の光を透過し、それと直交する振動方向の光を吸収する。よって蛍光体層２７から発生した映像光のような無偏光光は、偏光吸収層３４に入射すると、理想的には５０％ずつ透過・吸収される。
【００１０】
特許文献１は、偏光吸収層３４をプラズマディスプレイパネル２０の最も観察者側に配置することにより、偏光吸収層３４に入射した外光のうち、５０％の光を偏光吸収層３４により吸収されるので（図３の矢印ａ２のうち破線部）、外光反射を半減できるとしている。しかしながら、特許文献１に記載されたプラズマディスプレイパネルにおいて、偏光反射層３３及び偏光吸収層３４は、それぞれの透過軸が一致するように配置されているので、偏光反射層３３で観察者側に透過した一定の軸方向の振動方向の映像光は偏光吸収層３４で吸収されずに透過される（図３の矢印ａ２のうち実線部）。また、偏光反射層３３を透過せずに背面パネル２１側に反射された映像光は、蛍光体層２７の前面パネル２２側で反射されることにより無偏光化され（図３の矢印ｃ２）、再び偏光反射層３３において透過／反射される。映像光は、偏光反射層３３で透過／反射され、また蛍光体層２７等で前面パネル２２側への反射を繰り返す。そのため、映像光は一定の軸方向の振動方向の光に統一されて、偏光反射層３３の観察者側に透過される。つまり、図４に示した特許文献１記載のプラズマディスプレイパネルは、偏光吸収層３４により外光を半分吸収することで外光反射を防ぎつつ、一方で偏光反射層３３と偏光吸収層３４との組み合わせにより偏光反射層３３で透過される映像光を一定の軸方向の振動方向の光に統一し、偏光吸収層３４で吸収されること無く観察者側に出射させることで、光吸収層による映像光の損失を防ぐことができるとしている。
【特許文献１】特開２００１−２１５８８６号公報
【発明の開示】
【発明が解決しようとする課題】
【００１１】
しかしながら、特許文献１に記載のプラズマディスプレイパネルは、偏光反射層３３における透過／反射と蛍光体層２７の表面における反射を繰り返す際に、バス電極３０とブラックストライプ３６とを含む透明誘電体層２９を何度も通過する。かかる場合、映像光はバス電極３０とブラックストライプ３６とを通過した回数だけ吸収されるため、偏光反射層３３に到達する映像光は減少する。映像光が減少すると、偏光反射層３３における実効反射効率は低下し、偏光反射層３３から観察者側に一定の軸方向の振動成分の光に統一されて、映像光を出射する際の映像光の偏光変換効率を低下させる。蛍光体層２７から発生した映像光がプラズマディスプレイパネル２０を透過して観察者側に出射する光の光量を映像光の出射効率としたとき、上記構成により映像光の出射効率は向上し、明るい環境下におけるコントラスト低下が改善されてはいるものの、映像光の損失を十分に抑制できないという問題があった。以下、上記問題を図４の断面図を用いて詳細に説明する。
【００１２】
図４に示すように、特許文献１のプラズマディスプレイパネルは、バス電極３０とブラックストライプ３６が偏光反射層３３より背面パネル２１側に配置されているので、蛍光体層２７から発生した映像光の一部はバス電極３０及びブラックストライプ３６に吸収される（図３の矢印ｂ２）。また偏光反射層３３から背面パネル２１側に反射された映像光もまたバス電極３０及びブラックストライプ３６に吸収される（図３の矢印ｂ２´）。つまり、バス電極３０とブラックストライプ１７は一種の光吸収層として機能している。そのため、映像光が偏光反射層３３と蛍光体層２７とで反射を繰り返す際に、光吸収層として機能を果たすバス電極３０及びブラックストライプ３６を何度も通過するため、映像光の光量は次第に減少する。これは、偏光反射層３３の実効反射率が低下したのと等価であることを示す。その結果、偏光反射層３３を透過できる一定の軸方向の振動方向の光に統一する効率を示す偏光変換効率は低下し、それに伴いプラズマディスプレイパネル２０から観察者側への映像光の出射効率は低下することとなり、映像光の損失の抑制が十分でない。
【００１３】
そこで、本発明は上記問題点に鑑みてなされたものであり、低消費電力で高輝度の表示が可能で、外光下など明るい環境においても輝度が高くコントラストに優れたプラズマディスプレイを提供することを目的とする。
【課題を解決するための手段】
【００１４】
本発明の目的は、以下の構成を備えたプラズマディスプレイパネルによって達成される。前面基板とバス電極と透明電極とを含む前面パネルと、背面基板とアドレス電極とを含む背面パネルと、前面パネルと背面パネルとの間に形成され放電ガスが封入される対向間隙とを備えるプラズマディスプレイパネルであって、
入射する光のうち特定の振動方向の光を透過させ、特定の振動方向と直交する方向の光を吸収する偏光吸収層と、
特定の振動方向の光を透過させ、特定の振動方向と直交する方向の光を反射させる偏光反射層とを備え、
偏光吸収層及びバス電極よりも背面パネル側に、偏光吸収層の透過軸と略平行な透過軸を有する偏光反射層が配置される。
【発明の効果】
【００１５】
上記構成のより、本発明は低消費電力で高輝度の表示が可能で、外光下など明るい環境においても輝度が高くコントラストに優れたプラズマディスプレイを提供することができる。
【発明を実施するための最良の形態】
【００１６】
（実施の形態）
以下、本発明の実施例におけるプラズマディスプレイパネルについて、図面を参照しながら説明する。図１は本実施の形態のプラズマディスプレイパネルの断面図である。図１において、プラズマディスプレイパネル１は、背面パネル２と前面パネル３と背面パネル２及び前面パネル３の間隙には対向間隙１６が構成される。対向間隙１６には、Ｘｅ、Ｈｅ、Ｎｅなどの放電ガスが封入される。
【００１７】
背面パネル２は蛍光体層８と隔壁７と透明誘電体層６とアドレス電極５と背面基板４を備える。より詳細には、背面パネル２は、背面基板４の観察者側表面にアドレス電極５、透明誘電体層６の順で形成され、さらに透明誘電体層６の観察者側に突出するように隔壁７が形成される。隔壁７が突出した透明誘電体層６の観察者側表面には、隔壁７の頭頂部だけ残して蛍光体が塗布され、蛍光体層８が形成されている。
【００１８】
前面パネル３は、偏光吸収層１５と前面基板１４と透明電極１３とバス電極１２とブラックストライプ１７と透明誘電体層１１と偏光反射層１０と保護層９とを備える。より詳細には、前面パネル３は、前面基板１４の背面パネル２側表面に透明電極１３とバス電極１２の順に形成される。また前面基板１４の背面パネル２側表面のうち、透明電極１３が形成されていない部分にブラックストライプ１７が形成される。透明誘電体層１１は、透明電極１３、バス電極１２及びブラックストライプ１７を被膜する。さらに透明誘電体層１１の背面パネル２側表面には、偏光反射層１０、保護層９の順にそれぞれ形成される。また偏光吸収層１５は前面基板１４の観察者側表面に形成される。なお、偏光反射層１０と偏光吸収層１５とは、その透過軸が一致するように配置される。
【００１９】
このように、本実施の形態のプラズマディスプレイパネルは、偏光反射層１０がバス電極１２より背面パネル２側に配置されており、この点が従来のプラズマディスプレイパネルの構成と異なる。この構成により、偏光反射層１０は映像光の偏光を統一するので、映像光は偏光吸収層１５で吸収されずに透過する。すなわち、バス電極１２とブラックストライプ１７は、偏光反射層１０より背面パネル２側に配置されていないので、蛍光体層８から偏光反射層１０に到達する映像光が妨げられることがない（図１の矢印ａ１）。したがって、本実施の形態のプラズマディスプレイパネル１は、偏光反射層１０における映像光の実効反射率の低下を防止することができ、映像光の出射効率を大幅に向上させることができる。なお、映像光の出射効率とは、蛍光体層から発生した光の光量を１とした場合、その映像光がプラズマディスプレイパネルを透過して観察者側に出射してくる光量である。
【００２０】
なお、本実施の形態のプラズマディスプレイパネルは、交流（ＡＣ）型、直流（ＤＣ）型あるいは面発光型、対向放電型などの方式にとらわれずに、蛍光体を用いるプラズマディスプレイパネルに適用しても同様の効果を得ることができる。
【００２１】
なお、上記プラズマディスプレイパネルの構成に加えてさらに、色調補正やコントラスト向上を図るため、色彩調整機能またコントラスト調整機能を備えた着色層が形成されてもよい。かかる場合、着色層は、偏光吸収層１５と偏光反射層１０との間に形成されることが望ましい。また近赤外吸収層として光吸収物質を熔解した光学ガラスを前面パネル３に配置してもよい。
【００２２】
次に、本実施の形態のプラズマディスプレイパネルの作製方法について説明する。以下では説明の簡略化するために、ＡＣ面発光型のプラズマディスプレイパネルの製造工程の一例について説明する。
【００２３】
まず、ガラスからなる前面基板１４の背面パネル側表面に透明電極１３が形成される。前面基板１４には、例えば高歪点ガラス、ソーダライムガラスなどが用いられる。また、透明電極１３には、酸化スズ・インジウム（ＩＴＯ）膜や酸化スズ膜が用いられる。なお、透明電極１３のパターン化にはフォトエッチング法やリフトオフ法が用いられる。
【００２４】
次に、透明電極１３の背面パネル側表面にはバス電極１２が形成される。これらの電極用材料には、クロム、銅、銀などを単独または積層したものが用いられる。なお、バス電極１２のパターン化にはフォトエッチング法、スクリーン印刷法、感光性ペースト法、リフトオフ法などが用いられる。
【００２５】
続いて、前面基板１４の背面パネル側表面のうち、透明電極１３が形成されている部分を除いた部分にブラックストライプ１７が形成される。ブラックストライプ１７を形成する方法には、感光性の材料を用いフォトリソ法で形成する方法と黒色のペーストをスクリーン印刷で形成する方法がある。
【００２６】
上記二つの電極層が形成された後、各電極を覆うように透明誘電体層６が形成される。透明誘電体層用材料としては一般的に低融点ガラスが用いられる。かかる場合、透明誘電体層中に低誘電体率材料を分散して混入させることが望ましい。理由は、透明誘電体層中に、透明誘電体層中のガラス成分の誘電率よりも低い誘電率の低誘電率材料が分散して混入されていると、透明誘電体層全体の誘電率を低下させることができ、これにより透明誘電体層の量厚を従来よりも薄くできるからである。透明誘電体層６を形成する方法として、スクリーン印刷法、コータ塗布法、グリーンシートラミネート法などが用いられる。
【００２７】
さらに、透明誘電体層６の背面パネル側表面には、偏光反射層１０及び保護層９がそれぞれ形成される。以上の工程により、前面パネル３が完成する。なお、偏光反射層１０は、熱変性を考慮に入れ金属製のワイヤグリッドを用いることが望ましい。理由は、現在の技術では、発光効率が２〜３（ｌｍ／Ｗ）程度と低いため、エネルギー損失によりパネル自身に熱が滞留するからである。また金属製のワイヤグリッドは、電磁波を遮蔽することができるので、偏光反射層としての機能だけでなく、電磁シールドとしての機能を果たすことができる。このように、一層に二つの機能を付加できるので、製造コストの削減を図ることができる。
【００２８】
なお、偏光反射層１０に用いる部材は、ワイヤグリッドだけに限られない。例えば、複屈折膜と等方性膜の交互多層積層膜や、複屈折粒子相が等方性膜中に分散された膜、等方性粒子相が複屈折膜中に分散された膜、あるいは、複屈折相と等方性相が交互に入り組んだ膜、コレステリック液晶性高分子膜と４分の１波長板を組み合わせたものを使用してもよい。偏光反射層１０としてワイヤグリッド以外のものを用いた場合には、さらに電磁シールド効果を得るべく電磁シールド層を偏光反射層と偏光吸収層との間に配置しても良い。電磁シールド層としては、透明フィルム上に，銅の薄膜層を均一なメッシュ状に形成したもの、ガラス板全面に銀の薄膜層を設けたもの、極細のナイロン製メッシュ素材に銅メッキを行ったもの等が用いられるのが一般的である。しかしながら、フィルム状電磁波シールド層を用いると、基材フィルムにおいて複屈折が生じる問題がある。そこで、フィルム状電磁波シールド層を用いる場合は、複屈折性を示す基材フィルムの異方軸と偏光フィルムの異方軸とを一致させることが望ましい。保護層用材料としては酸化マグネシウムが好適に用いられる。形成法としては電子ビーム蒸着法を用いるのが一般的である。以上のように、前面パネル３が作製される。
【００２９】
次に、背面パネル２の製造工程の一例を説明する。ガラスからなる背面基板４の観察者側表面にはアドレス電極５が形成される。背面基板１４および電極形成用材料は前面基板と同様の材料が用いられる。また、電極のパターン化も前面基板の場合と同様に行われる。
【００３０】
アドレス電極層５が形成された後、アドレス電極層の観察者側表面には透明誘電体層６が形成される。透明誘電体層用材料としてはアルミナ、酸化スズ、酸化チタン、酸化ジルコニウムなどを添加した低融点ガラス等が用いられる。なお、透明誘電体層６は前面パネルの透明誘電体層１１と同様の方法により形成される。透明誘電体層６の色については特に限定されないが、蛍光を効率良く反射して輝度を向上するために白色であることが好ましい。
【００３１】
次に、透明誘電体層６の観察者側表面上には隔壁７が形成される。隔壁パターン（平面視の隔壁形状）としては、ストライプパターン、メッシュパターン、メッシュパターンの隔壁にストライプパターンの隔壁を重ね合わせた形の隔壁構造（これを複合パターン構造という）などが用いられる。隔壁形成用の材料としては低融点ガラスとセラミックスの混合物が一般的に使用される。隔壁を形成する方法としてはスクリーン印刷法、サンドブラスト法、アディティブ法、感光性ペースト法、加圧成型法などが用いられる。隔壁の色については特に限定されないが、プラズマディスプレイパネルとしての輝度やコントラストのバランスを考慮して、白色、黒色、頂部黒色／底部白色、透明などから好ましく選ばれる。
【００３２】
最後に隔壁７の表面に蛍光体層８が形成されると背面パネル２が完成する。なお、蛍光体層８は、例えばスクリーン印刷法、感光性ペースト法、ディスペンサー法、光粘着法などの方法により形成される。また、蛍光体として赤色用には（Ｙ、Ｇｄ）ＢＯ3：Ｅｕ、ＹＢＯ3：Ｅｕ、Ｙ2Ｏ3：Ｅｕ、Ｙ（ＰＶ）Ｏ4：Ｅｕが用いられる。緑色用にはＺｎ2ＳｉＯ4：Ｍｎ、ＢａＡｌ12Ｏ19：Ｍｎが用いられる。さらに、青色用にはＢａＭｇＡｌ10Ｏ17：Ｅｕが一般的に使用される。
【００３３】
以上の工程により作製された前面パネル３及び背面パネル２は位置合わせして組み立てられ、真空排気ベークに必要な排気管が取り付けられる。具体的には以下の工程を経てプラズマディスプレイパネルが作製される。すなわち、重ねあわされた背面パネル２と前面パネル３とは、それぞれに予め設けられたシール層によって溶着され、その結果、１パネル化される（封着工程）。次に、１パネル化されたものを加熱しながら真空に排気する（ベーキング排気工程）。さらに１パネル化された背面パネル２と前面パネル３との間隙には放電ガスが排気管から導入される（ガス封入工程）。そして、排気管をチップオフして１パネル化したものを気密封止し（封止工程）、気密封止して得られたプラズマディスプレイパネル１を放電させ発光特性および放電特性が安定するまで放電が続けられる（エージング工程）。その後、エージング工程を経たプラズマディスプレイパネルの観察者側表面に偏光反射層に対して偏光軸を一致させた偏光吸収層を直接被着させる。あるいは空冷空間を置いて配置される前面フィルターなどに偏光吸収層を偏光反射層に対して偏光軸を一致させて被着させる。
【００３４】
なお、偏光吸収層は、一般的に用いられるヨウ素錯体や２色性染料を吸着した延伸されたポリマー膜を使用することができるが、特にこれらに限定されずに種々の偏光吸収層を使用することができる。
【００３５】
上記の作製方法により、テレビ、ビデオ、案内板などの大型表示画面のプラズマディスプレイパネルを提供できる。特に上記作製方法により、輝度を高く保ちながら明所での高いコントラスト比を煩雑な工程なしに低コストで実現可能である。
【００３６】
以上のように作製されたプラズマディスプレイパネルの輝度及びコントラスト比の評価結果について説明する。具体的には本実施の形態及び従来のプラズマディスプレイパネルにおける映像光の出射効率を比較することにより、輝度及びコントラスト比を評価する。図２は従来のプラズマディスプレイパネルの構成における映像光の出射の様子を示す、図３は本実施の形態のプラズマディスプレイパネルの構成における映像光の出射の様子を示す図である。
【００３７】
なお、図２及び図３中、偏光反射層１０、３３と偏光吸収層１５、３４とは、それぞれの透過軸を一致させており、偏光反射層１０、３３を透過した映像光は偏光吸収層１５、３４で吸収されずに透過するので、偏光吸収層１５、３４の記載を省略している。また、バス電極１２、３０とブラックストライプ１７、３６により映像光が一部吸収されるため、図２及び図３では便宜的に、バス電極１２、３０とブラックストライプ１７、３６とを光吸収層Ａとして記載している。ここで、バス電極１２、３０とブラックストライプ１７、３６の遮蔽面積を考慮して、光吸収層Ａの透過率ＴをＴ＝０．７とし（ただし、透過されない光は吸収されるとする）、蛍光体層Ｃの前面パネル側表面における反射率ＲをＲ＝０．９とする（ただし、反射されない光は吸収されるとする）。さらに、上述のように、偏光反射層Ｂにおける反射率及び透過率をそれぞれ５０％とする。
【００３８】
図２の従来のプラズマディスプレイパネルの構成において、蛍光体層Ｃから発生する映像光の光量を１としたとき、偏光反射層Ｂを反射した光の光量は０．５、透過した光の光量は０．５となる。そして、反射光は再び蛍光体層Ｃに入射した後、偏光反射層Ｂで反射または透過される（図４）。以下、映像光は、蛍光体層Ｃと偏光反射層Ｂと光吸収層Ａの間で順次反射または透過が繰り返される。以上のことから、前面パネル２２から観察者側に出射される映像光の総量（映像光の出射効率Ｔａｌｌ4）は、以下の式で表される。
【数１】
2008117676.tif 000003
したがって、従来のプラズマディスプレイパネルにおいて、映像光の出射効率Ｔａｌｌ4は、
【数２】
2008117676.tif 000004
となる。
【００３９】
一方、図３に示すように、本実施の形態のプラズマディスプレイパネルの構成において、前面パネル３から観察者側に出射される映像光の総量（映像光の出射効率Ｔａｌｌ3）は、以下の式で表される。
【数３】
2008117676.tif 000005
したがって、本実施の形態のプラズマディスプレイパネルにおいて、映像光の出射効率Ｔａｌｌ3は、
【数４】
2008117676.tif 000006
となる。
【００４０】
以上のように、本実施の形態に係るプラズマディスプレイパネルは、従来のプラズマディスプレイパネルと比較して、映像光の出射効率を１．４倍向上させることができる。したがって、低消費電力で高輝度の表示が可能で、外光下など明るい環境においても輝度が高くコントラストに優れたプラズマディスプレイパネルを提供できる。
【００４１】
特に、本実施の形態に係るプラズマディスプレイパネルは、煩雑な工程なしに低コストで提供できる。
【００４２】
また、本実施の形態に係るプラズマディスプレイパネルは、偏光反射層としてワイヤグリッドを用いたので、パネル自身の発熱に伴う偏光反射層の熱変形を防止できる。これにより、プラズマディスプレイパネルの動作時に安定した画像提供を行うことができる。また、ワイヤグリッドは電磁波ノイズを遮蔽する機能も有するため、新たに電磁波シールド層を設ける必要がない。これにより、コストを削減できるとともに簡素な構成を備えたプラズマディスプレイパネルを提供できる。
【００４３】
また、本実施の形態に係るプラズマディスプレイパネルにおいて、電磁波シールド層が偏光吸収層と偏光反射層との間に配置されるので、偏光反射層における実効反射率の低下や映像光の偏光変換効率の低下を防止できる。これにより、映像光の出射効率を向上させることができ、低消費電力で高輝度の表示が可能なプラズマディスプレイパネルを提供できる。
【００４４】
また、本実施の形態に係るプラズマディスプレイパネルにおいて、電磁波シールド層として用いられるフィルムと、偏光反射層として用いられるフィルムと、偏光吸収層として用いられるフィルムのそれぞれの異方軸が一致するように配置されているので、映像光の偏光状態が乱されることがない。これにより、映像光の偏光交換効率の低下を防止できる。
【００４５】
また、本実施の形態に係るプラズマディスプレイパネルにおいて、色彩調整機能及びコントラスト調整機能の少なくとも一方の機能を有する調整機能層が偏光吸収層と偏光反射層との間に配置されるので、実効反射率の低下や映像光の偏光交換効率の低下を防止できる。これにより、低消費電力で高輝度の表示が可能であり、特に外光下など明るい環境下における高輝度かつ高コントラストを維持しつつ、色彩補正またはコントラスト調整が可能なプラズマディスプレイパネルを提供できる。
【００４６】
また、本実施の形態におけるプラズマディスプレイパネルは、前面基板の背面パネル側の表面のうち、透明電極が形成されていない部分にブラックストライプが形成されるので、放電していない部分をブラックストライプで遮蔽し、入射する外光の反射を抑制することができる。これにより、コントラストの高い映像表示が可能なプラズマディスプレイパネルを提供できる。
【産業上の利用可能性】
【００４７】
本発明は、低消費電力で明るい画像表示が要望されるＴＶ受像機や情報端末ディスプレイ等に好適である。
【図面の簡単な説明】
【００４８】
【図１】実施の形態のプラズマディスプレイパネルの断面図
【図２】従来のプラズマディスプレイパネルの構成における映像光の出射の様子を示す図
【図３】実施の形態のプラズマディスプレイパネルの構成における映像光の出射の様子を示す図
【図４】従来のプラズマディスプレイパネルの構成における映像光の出射の様子を示す説明図
【符号の説明】
【００４９】
１    プラズマディスプレイパネル
２    背面パネル
３    前面パネル
４    背面基板
５    アドレス電極
６    透明誘電体層
７    隔壁
８    蛍光体層
９    保護層
１０    偏光反射層
１１    透明誘電体層
１２    バス電極
１３    透明電極
１４    前面基板
１５    偏光吸収層
１６    背面パネルと前面パネルとの対向間隙
１７    ブラックストライプ
Ａ    光吸収層
Ｂ    偏光反射層
Ｃ    蛍光体層
【図１】
2008117676.tif 000007
【図２】
2008117676.tif 000008
【図３】
2008117676.tif 000009
【図４】
2008117676.tif 000010